(57)【要約】【課題】定型化された単独のパッケージ内に、力率改善回路およびＤＣ／ＤＣコンバータを無理なく収容できるモジュール型電源装置を提供する。【解決手段】モジュール型電源装置１は、パッケージ２の外形寸法が定型化される。このパッケージ２には、第１の中間端子＋ＢＣ，−ＢＣが設けられており、当該第１の中間端子＋ＢＣ，−ＢＣを利用して、ユーザーが昇圧電圧を充電するための電解コンデンサ４３をパッケージ２の外部で接続できる。そのため、パッケージ２内に収容される力率改善回路４には、同じ機能を有する大容量の電解コンデンサ４３を組込む必要がなく、同一のパッケージ２に力率改善回路４とＤＣ／ＤＣコンバータ５を無理なく収容できる。【選択図】図３
2008109783.tif 000002
【特許請求の範囲】
【請求項１】
入力電圧を昇圧する昇圧チョッパ回路を含む力率改善回路と、前記力率改善回路からの昇圧電圧を出力電圧に変換するＤＣ／ＤＣコンバータとを備え、前記ＤＣ／ＤＣコンバータからの出力電圧を、第１の負荷が接続可能な出力端子に供給すると共に、パッケージの外形寸法が定型化されたモジュール型電源装置において、
前記力率改善回路と前記ＤＣ／ＤＣコンバータを前記パッケージ内に収容し、
前記昇圧電圧を充電するための容量性素子を、前記パッケージの外部で接続可能にする第１の中間端子を、前記力率改善回路から前記ＤＣ／ＤＣコンバータに至る配線路に接続したことを特徴とするモジュール型電源装置。
【請求項２】
前記第１の中間端子は、第２の負荷に前記昇圧電圧を供給可能な昇圧電圧供給端子として設けられることを特徴とする請求項１記載のモジュール型電源装置。
【請求項３】
前記ＤＣ／ＤＣコンバータは、入力側と出力側とを電気的に絶縁するように構成されることを特徴とする請求項２記載のモジュール型電源装置。
【請求項４】
前記力率改善回路は、前記パッケージの外部で突入電流制限用素子を接続可能にする第２の中間端子を備えたことを特徴とする請求項１〜３の何れか一つに記載のモジュール型電源装置。
【発明の詳細な説明】
【技術分野】
【０００１】
本発明は、電源装置の主要な各部を定型状のパッケージ内に収容してモジュール化したモジュール型電源装置に関する。
【背景技術】
【０００２】
一般に、この種の電源装置は、フィルター回路を介して供給される交流入力電圧を入力整流回路で直流入力電圧に変換し、この直流入力電圧をＤＣ／ＤＣコンバータに供給することで、安定した任意の直流出力電圧を得るようになっている。また、エネルギーの利用効率や、入力電圧の低下・歪みを改善する観点から、ＤＣ／ＤＣコンバータの前段には、昇圧チョッパ回路を含む力率改善回路が組込まれている。
【０００３】
このようなものにおいて、上記入力整流回路や、力率改善回路や、出力安定化回路であるＤＣ／ＤＣコンバータを、任意の形状を有する金属筐体内に収容して一体化したいわゆるユニット型電源装置が知られている。ユニット型電源装置は、単独のパッケージで構成されるため、機器への組込みが容易であるという利点があるが、ユーザー側で別な出力電圧や出力電流を得ることは不可能であり、汎用性および柔軟性に乏しいという欠点があった。
【０００４】
そこで、電源装置の主要な各部をそれぞれ独立したモジュールに分割し、各部のモジュールで仕様の異なるラインナップ構成を用意することで、ユーザーが所望するモジュールを選択して、自由な電源設計を構築できるモジュール型電源装置が、例えば特許文献１などに提案されている。こうしたモジュール型電源装置は、複数のモジュールを並べて配置することを考慮して（特許文献１の図２や図３を参照）、「ブリック」と呼ばれる決められた寸法単位に、矩形状をなす各モジュールのパッケージ外形が定型化されているのが特徴である。
【特許文献１】特開平６−１３３５５０号公報
【発明の開示】
【発明が解決しようとする課題】
【０００５】
しかし、上述した従来のモジュール型電源装置では、次のような問題点を生じる。
【０００６】
前記力率改善回路およびＤＣ／ＤＣコンバータを別々のモジュールに構成するのではなく、単独のパッケージ内に一体的に収容したモジュールのラインナップが、ユーザー側から求められている。この場合、ユニット型電源装置のように、パッケージの外形寸法を任意に広げることができれば、技術的に問題なく各部を収容できるが、モジュール型電源装置では、パッケージの外形寸法が定型化されているので、こうした要求に応えられないという問題があった。
【０００７】
また、力率改善回路とＤＣ／ＤＣコンバータを同一パッケージに一体化してしまうと、例えば別な仕様のＤＣ／ＤＣコンバータなどを、ＤＣ／ＤＣコンバータと並列に接続することができなくなる。したがって、モジュール型電源装置として本来の利点であった自由な電源設計が犠牲になる。
【０００８】
本発明は上記の各問題点に着目してなされたもので、定型化された単独のパッケージ内に、力率改善回路およびＤＣ／ＤＣコンバータを無理なく収容できるモジュール型電源装置を提供することを、その第１の目的とする。
【０００９】
また本発明の第２の目的は、力率改善回路とＤＣ／ＤＣコンバータを同一パッケージに一体に収容した場合でも、自由な電源設計が損なわれないモジュール型電源装置を提供することにある。
【課題を解決するための手段】
【００１０】
本発明における請求項１のモジュール型電源装置は、上記第１の目的を達成するために、入力電圧を昇圧する昇圧チョッパ回路を含む力率改善回路と、前記力率改善回路からの昇圧電圧を出力電圧に変換するＤＣ／ＤＣコンバータとを備え、前記ＤＣ／ＤＣコンバータからの出力電圧を、第１の負荷が接続可能な出力端子に供給すると共に、パッケージの外形寸法が定型化されたモジュール型電源装置において、前記力率改善回路と前記ＤＣ／ＤＣコンバータを前記パッケージ内に収容し、前記昇圧電圧を充電するための容量性素子を、前記パッケージの外部で接続可能にする第１の中間端子を、前記力率改善回路から前記ＤＣ／ＤＣコンバータに至る配線路に接続したものである。
【００１１】
また、請求項２のモジュール型電源装置は、上記第２の目的を達成するために、前記第１の中間端子が、第２の負荷に前記昇圧電圧を供給可能な昇圧電圧供給端子として設けられる。
【００１２】
また、請求項３のモジュール型電源装置は、前記ＤＣ／ＤＣコンバータが、入力側と出力側とを電気的に絶縁するように構成される。
【００１３】
また、請求項４のモジュール型電源装置は、前記力率改善回路が、前記パッケージの外部で突入電流制限用素子を接続可能にする第２の中間端子を備えている。
【発明の効果】
【００１４】
請求項１のモジュール型電源装置によれば、第１の中間端子を利用して、ユーザーが昇圧電圧を充電するための容量性素子を接続できるので、パッケージ内に収容される力率改善回路には、同じ機能を有する大容量の容量性素子を組込む必要がなく、同一のパッケージに力率改善回路とＤＣ／ＤＣコンバータを無理なく収容できる。また、出力端子に接続する第１の負荷の容量に応じて、ユーザーが適切な容量の容量性素子を選択し、これをパッケージの外部で第１の中間端子に接続すれば、第１の負荷における容量の大小に拘らず、力率改善回路からＤＣ／ＤＣコンバータにリプルを殆ど含まない昇圧電圧を供給することができる。そのため、不必要に大きな容量性素子をパッケージの外部に組込む必要がなく、外付け部品を含めた電源装置全体のコンパクト化を実現できる。また、第１の中間端子に接続する容量性素子の容量値により、第１の負荷に供給される出力電圧の保持時間を、ユーザー側で任意に調整することも可能になる。
【００１５】
請求項２のモジュール型電源装置によれば、第１の中間端子には、そもそも力率改善回路からの昇圧電圧が発生しているので、この第１の中間端子に別な第２の負荷を接続できるようにすれば、力率改善回路とＤＣ／ＤＣコンバータとを同一パッケージに収容してあるにも拘らず、ＤＣ／ＤＣコンバータからの出力電圧を第１の負荷に供給すると共に、力率改善回路からの昇圧電圧を第２の負荷に供給することができ、自由な電源設計が損なわれない。また、同じ第１の中間端子に接続する容量性素子の容量の大小によって、出力電圧のみならず、昇圧電圧の保持時間をもユーザー側で任意に決めることが可能になる。
【００１６】
請求項３のモジュール型電源装置によれば、出力端子から第１の負荷に対して、絶縁強化された出力電圧を供給することができ、モジュール型電源装置としての信頼性を高めることができる。
【００１７】
請求項４のモジュール型電源装置によれば、第２の中間端子を利用して、ユーザーが突入電流制限用素子を接続できるので、パッケージ内に収容される力率改善回路には、同じ機能を有する突入電流制限用素子を組込む必要がなく、同一のパッケージに対して力率改善回路とＤＣ／ＤＣコンバータをさらに無理なく収容できる。また、この外付けされる突入電流制限用素子の抵抗値によって、突入電流の大きさをユーザー側で任意に調整することも可能になる。
【発明を実施するための最良の形態】
【００１８】
以下、本発明におけるモジュール型電源装置の好ましい一実施形態について、添付図面を参照しながら詳細に説明する。
【００１９】
図１は、本発明のモジュール型電源装置１の電気的な概略構成を示すもので、２は定型化された矩形箱型の外形形状を有するパッケージであり、このパッケージ２の内部には、入力端子Ｖin１，Ｖin２に印加される交流入力電圧を整流平滑する入力整流回路３と、入力整流回路３で変換された直流入力電圧を入力源として、交流入力電圧の電流波形と電圧波形を近づけるように、内蔵する昇圧チョッパ回路のスイッチ素子（図示せず）をＰＷＭ制御し、昇圧した電圧を出力する力率改善回路４と、力率改善回路４で得た昇圧電圧を入力源として、安定した任意の直流出力電圧を出力端子＋Ｖｏ，−Ｖｏに供給するＤＣ／ＤＣコンバータ５が収容される。また、力率改善回路４からＤＣ／ＤＣコンバータ５に至る正極側と負極側の昇圧電圧ライン６，７には、それぞれ中間端子＋ＢＣ，−ＢＣが接続されると共に、力率改善回路４には別な中間端子Ｒが接続される。このように、本実施例におけるモジュール型電源装置１は、交流電圧を入力とし、直流電圧を出力とするＡＣ／ＤＣパワーモジュールとしての機能を有している。また、前記ＤＣ／ＤＣコンバータ５は、その入力側と出力側とを電気的に絶縁する絶縁トランス８などを備えている。
【００２０】
図２は、モジュール型電源装置１の外観を示す図である。同図において、パッケージ２は、幅（Ｗ），高さ（Ｈ），奥行き（Ｄ）の各外形寸法が、それぞれ６１ｍｍ，１２．７ｍｍ，１１６．８ｍｍの定型化されたフルブリック形状に形成される。また、前記入力端子Ｖin１，Ｖin２は、パッケージ２の一側にあって、その上面から突出して設けられ、出力端子＋Ｖｏ，−Ｖｏは、パッケージ２の他側にあって、その上面から突出して設けられると共に、中間端子＋ＢＣ，−ＢＣ，Ｒは、パッケージ２の中間部に配置され、このパッケージ２の上面よりより突出して並設される。本実施例で使用するパッケージ２は、既存のモジュール型電源装置のパッケージで広く採用されているブリック形状とすることが好ましい。また、中間端子＋ＢＣ，−ＢＣ，Ｒを入力端子Ｖin１，Ｖin２や出力端子＋Ｖｏ，−Ｖｏから離れて配置することで、中間端子＋ＢＣ，−ＢＣ，Ｒを利用する際に、ユーザーが別な端子に接続を行なうのを回避することができる。なお、パッケージ２の四隅に設けられたタップ孔９は、当該パッケージ２を機器の基板（図示せず）などに取付け固定するためのものである。
【００２１】
図３は、前述した図１よりもさらに詳細な回路構成を示したものである。同図において、入力端子Ｖin１，Ｖin２の両端間には、交流電圧を供給する例えば商用の交流電源１１が接続されるが、装置内部へのノイズの侵入を防ぐために、交流電源１１と入力端子Ｖin１，Ｖin２との間に入力フィルター回路（図示せず）を組込んでもよい。また、直流電圧を供給する直流電源（図示せず）を代わりに接続してもよい。入力整流回路３は、何れも図示しないが、ブリッジ接続されたダイオードと、平滑用の入力コンデンサとにより構成される。また、力率改善回路４は、前述したスイッチ素子２１や、チョークコイル２２や、ダイオード２３で構成される昇圧チョッパ回路２５の他に、このスイッチ素子２１の制御端子にパルス幅変調されたパルス信号を供給するＰＦＣ（力率改善）制御部２７と、モジュール型電源装置１の起動時などに発生する突入電流の有無を監視して、当該突入電流が発生していない場合に、中間端子＋ＢＣ，Ｒ間を短絡する突入電流監視回路２９とを備えて構成される。
【００２２】
より具体的には、入力整流回路３の出力端に、チョークコイル２２の主巻線２２ＡとＭＯＳＦＥＴからなるスイッチ素子２１との直列回路を接続し、この主巻線２２Ａとスイッチ素子２１との接続点にダイオード２３のアノードを接続して、パッケージ２内の昇圧チョッパ回路２５を構成する。また、突入電流監視回路２９は、前記チョークコイル２２の主巻線２２Ａと磁気的に結合した電流検出巻線２２Ｂと、この電流検出巻線２２Ｂで得た電流検出信号に基づいて、突入電流の非発生時にトリガ信号を生成出力するゲートトリガ回路３１と、アノードが前記ダイオード２３のカソードに接続されると共に、カソードが正極性の昇圧電圧ライン６に接続され、前記ゲートトリガ回路３１からのトリガ信号がゲートに与えられることによりターンオンする制御素子としてのサイリスタ３２とにより構成される。そして、ダイオード２３のカソードとサイリスタ３２のアノードとの接続点には、前記中間端子Ｒが接続されており、パッケージ２の外部において、この中間端子Ｒと別な中間端子＋ＢＣとの間に突入電流制限用素子である抵抗４１を接続することにより、突入電流の発生時すなわちサイリスタ３２のオフ時に、抵抗４１を介してその電流を抑制するようになっている。
【００２３】
なお、図３に示すように、中間端子Ｒ，＋ＢＣ間には、抵抗４１とヒューズ４２との直列回路を接続するのが好ましい。こうすることで、さらに過大な電流がモジュール型電源装置１に流れ込んだ場合に、速やかにヒューズ４２を溶断して各部を保護することができる。
【００２４】
入力整流回路３や力率改善回路４と共にパッケージ２内に収容されるＤＣ／ＤＣコンバータ５は、前述したような絶縁トランス８が設けられ、これにより入力電圧に対して絶縁強化された出力電圧が、出力端子＋Ｖｏ，−Ｖｏに接続した第１の負荷５１に供給されるようになっている。ここでのＤＣ／ＤＣコンバータ５は、フォワード型，フライバック型，ハーフブリッジ型，フルブリッジ型など、どのような回路方式を採用してもよい。
【００２５】
前記中間端子＋ＢＣ，−ＢＣは、前記力率改善回路４で得られた昇圧電圧を充電する電解コンデンサ４３を、ユーザーがパッケージ２の外部で接続できるようにするためのもので、この中間端子＋ＢＣ，−ＢＣ間に電解コンデンサ４３を接続することにより、リプルのない昇圧電圧をＤＣ／ＤＣコンバータ５に供給できる。したがって、本実施例における力率改善回路４は、同等の機能を発揮する大容量のコンデンサをパッケージ２内に組込んでおらず、決められた形状のパッケージ２内に、入力整流回路３，力率改善回路４およびＤＣ／ＤＣコンバータ５を無理なく収容できる。
【００２６】
パッケージ２の外部には、その他に、中間端子Ｒ，−ＢＣ間と、中間端子＋ＢＣ，−ＢＣ間に、ノイズ除去用のコンデンサ４５，４６を接続してもよい。これにより、パッケージ２内の昇圧電圧ライン６，７間に接続するあらゆるコンデンサを不要にできる。なお、パッケージ２の収容スペースが許すならば、パッケージ２内の昇圧電圧ライン６，７間に、ノイズ除去用の小容量のコンデンサや、昇圧電圧を一部充電する電解コンデンサを組込んでもよい。
【００２７】
本実施例におけるモジュール型電源装置１の特徴として、力率改善回路４とＤＣ／ＤＣコンバータ５が同一のパッケージ２に組込まれていながらも、出力端子＋Ｖｏ，−Ｖｏからの絶縁強化された出力電圧とは別に、第２の負荷５２に対して昇圧電圧を供給できるようになっている。このような機能を実現するために、本実施例では独立した昇圧電圧供給用の端子を設けてはいない。この昇圧電圧供給端子は、前述した中間端子＋ＢＣ，−ＢＣとして設けられている。したがって、本実施例では、中間端子＋ＢＣ，−ＢＣに第２の負荷５２を接続するだけで、この第２の負荷５２に力率改善回路４からの昇圧電圧を供給できる。中間端子＋ＢＣ，−ＢＣには、電解コンデンサ４３と第２の負荷５２を共に接続してもよいし、逆にどちらも接続しなくてもよく、さらにはどちらか一方だけを接続してもよい。
【００２８】
なお、中間端子＋ＢＣ，−ＢＣ間には、入力電圧と絶縁されていない昇圧電圧が発生する。したがって、一例として、その入力側と出力側とを絶縁したＤＣ／ＤＣコンバータを、第２の負荷５２として用いれば、出力端子＋Ｖｏ，−Ｖｏ間に発生する出力電圧とは別に、当該ＤＣ／ＤＣコンバータの出力側で強化絶縁された第２の出力電圧を得ることができる。
【００２９】
本実施例におけるモジュール型電源装置１の動作は、従来から知られている通りである。すなわち、交流電源１１からの交流入力電圧が入力端子Ｖin１，Ｖin２の両端間に投入された直後は、ゲートトリガ回路３１からトリガ信号が出力されていない関係で、昇圧チョッパ回路２５の後段にあるサイリスタ３２はオフ状態にあり、入力端子Ｖin１から侵入する突入電流は、中間端子Ｒ，−ＢＣ間に接続された抵抗４１によって制限される。その後、チョークコイル２２の主巻線２２Ａに電流が流れ、これをゲートトリガ回路３１が電流検出巻線２２Ｂで検出すると、当該ゲートトリガ回路３１からサイリスタ３２にトリガ信号が供給される。これにより、サイリスタ３２がターンオンして抵抗４１を短絡し、突入電流発生後も抵抗４１に不必要な電流が流れることによる損失を防ぐ。
【００３０】
一方、力率改善回路４は、ＰＦＣ制御部２７からのパルス信号によりスイッチ素子２１をスイッチングし、このスイッチ素子２１のオン時には、入力整流回路３で整流平滑された直流入力電圧をチョークコイル２２の主巻線２２Ａに印加して、当該チョークコイル２２にエネルギーを蓄積し、スイッチ素子２１のオフ時には、主巻線２２Ａに蓄えられたエネルギーに、交流電源１１からのエネルギーを加えて、これらのエネルギーをダイオード２３から昇圧電圧ライン６，７側に送り出す。したがって、昇圧電圧ライン６，７間には直流入力電圧よりも高い昇圧電圧が発生する。また、ＰＦＣ制御部２７は、力率改善回路４からの昇圧電圧が一定となるように、スイッチ素子２１の供給するパルス信号の導通幅を可変しており、これによりチョークコイル２２を介して取込まれる電流波形を、交流電源１１からの正弦波状の電圧波形に近付け、力率の改善を図ることができる。
【００３１】
昇圧電圧ライン６，７間の昇圧電圧は、後段のＤＣ／ＤＣコンバータ５に入力源として印加される。当該ＤＣ／ＤＣコンバータ５は、絶縁トランス８を通して昇圧電圧を絶縁強化された出力電圧に変換し、これを第１の負荷５１が接続される出力端子＋Ｖｏ，−Ｖｏ間に供給する。また、中間端子＋ＢＣ，−ＢＣ間に別な第２の負荷５２を接続すれば、この第２の負荷５２にも昇圧電圧を供給できる。中間端子＋ＢＣ，−ＢＣ間には、昇圧電圧を充電するための電解コンデンサ４３を接続できるが、この電解コンデンサ４３の容量は、ユーザー側で任意に選択することができる。すなわち、中間端子＋ＢＣ，−ＢＣ間に接続する電解コンデンサ４３の容量が大きくなるほど、出力電圧や昇圧電圧の保持時間が延び、また昇圧電圧のリプル成分も小さくなるが、外付け部品を含めたモジュール型電源装置１全体の形状は大型化する。したがって、こうした電気的な特性と全体サイズとの兼ね合いで、最適な容量の電解コンデンサ４３を中間端子＋ＢＣ，−ＢＣ間に接続すればよい。
【００３２】
以上のように本実施例では、入力電圧を昇圧する昇圧チョッパ回路２５を含む力率改善回路４と、力率改善回路４からの昇圧電圧を出力電圧に変換するＤＣ／ＤＣコンバータ５とを備え、ＤＣ／ＤＣコンバータ５からの出力電圧を、第１の負荷５１が接続可能な出力端子＋Ｖｏ，−Ｖｏに供給すると共に、パッケージ２の外形寸法が定型化されたモジュール型電源装置１において、好ましくは昇圧電圧を充電する容量性素子を力率改善回路４に含まない構成で、力率改善回路４とＤＣ／ＤＣコンバータ５をパッケージ２内に収容し、昇圧電圧を充電するための容量性素子たる電解コンデンサ４３を、パッケージ２の外部で接続可能にする第１の中間端子＋ＢＣ，−ＢＣを、力率改善回路４からＤＣ／ＤＣコンバータ５に至る配線路である昇圧電圧ライン６，７に接続している。
【００３３】
この場合、第１の中間端子＋ＢＣ，−ＢＣを利用して、ユーザーが昇圧電圧を充電するための電解コンデンサ４３をパッケージ２の外部で接続できるので、パッケージ２内に収容される力率改善回路４には、同じ機能を有する大容量の電解コンデンサ４３を組込む必要がなく、同一のパッケージ２に力率改善回路４とＤＣ／ＤＣコンバータ５を無理なく収容できる。また、出力端子＋Ｖｏ，−Ｖｏに接続する第１の負荷５１の容量に応じて、ユーザーが適切な容量の電解コンデンサ４３を選択し、これをパッケージ２の外部で第１の中間端子＋ＢＣ，−ＢＣに接続すれば、第１の負荷５１における容量の大小に拘らず、力率改善回路４からＤＣ／ＤＣコンバータ５にリプルを殆ど含まない昇圧電圧を供給することができる。そのため、不必要に大きな電解コンデンサ４３をパッケージ２の外部に組込む必要がなく、外付け部品を含めたモジュール型電源装置１全体のコンパクト化を実現できる。また、第１の中間端子＋ＢＣ，−ＢＣに接続する電解コンデンサ４３の容量値により、第１の負荷５１に供給される出力電圧の保持時間を、ユーザー側で任意に調整することも可能になる。
【００３４】
また、本実施例における第１の中間端子＋ＢＣ，−ＢＣは、第２の負荷５２に昇圧電圧を供給可能な昇圧電圧供給端子として設けられている。こうすると、第１の中間端子＋ＢＣ，−ＢＣには、そもそも力率改善回路４からの昇圧電圧が発生しているので、この第１の中間端子＋ＢＣ，−ＢＣに別な第２の負荷５２を接続できるようにすれば、力率改善回路４とＤＣ／ＤＣコンバータ５とを同一パッケージに収容してあるにも拘らず、ＤＣ／ＤＣコンバータ５からの出力電圧を第１の負荷５１に供給すると共に、力率改善回路４からの昇圧電圧を第２の負荷５２に供給することができ、自由な電源設計が損なわれない。また、同じ第１の中間端子＋ＢＣ，−ＢＣに接続する電解コンデンサ４３の容量の大小によって、出力電圧のみならず、昇圧電圧の保持時間をもユーザー側で任意に決めることが可能になる。
【００３５】
さらに、本実施例のＤＣ／ＤＣコンバータ５は、その入力側と出力側とを電気的に絶縁するように、好ましくは絶縁トランス８を備えて構成されている。こうすると、出力端子＋Ｖｏ，−Ｖｏから第１の負荷５１に対して、絶縁強化された出力電圧を供給することができ、モジュール型電源装置１としての信頼性を高めることができる。
【００３６】
また、本実施例の力率改善回路４は、前記パッケージ２の外部で突入電流防止用素子である抵抗４１を接続可能にする第２の中間端子Ｒを備えている。こうすると、第２の中間端子Ｒを利用して、ユーザーが抵抗４１などの突入電流制限用素子を接続できるので、パッケージ２内に収容される力率改善回路４には、同じ機能を有する突入電流制限用素子を組込む必要がなく、同一のパッケージ２に対して力率改善回路４とＤＣ／ＤＣコンバータ５をさらに無理なく収容できる。また、この外付けされる抵抗４１の抵抗値によって、突入電流の大きさをユーザー側で任意に調整することも可能になる。
【００３７】
なお、本発明は上記実施例に限定されるものではなく、本発明の要旨の範囲において種々の変形実施が可能である。パッケージ２に外付けされる第１の負荷５１，第２の負荷５２，電解コンデンサ４３の個数は、モジュール型電源装置１としての仕様が許す範囲であれば、特に限定されない。また、ＤＣ／ＤＣコンバータ５のみならず、力率改善回路４の回路構成も、実施例に示したものに限定されない。
【図面の簡単な説明】
【００３８】
【図１】本発明の好ましい一実施例におけるモジュール型電源装置の回路構成図である。
【図２】同上、外観をあらわす斜視図である。
【図３】同上、さらに詳細な回路構成図である。
【符号の説明】
【００３９】
１  モジュール型電源装置
２  パッケージ
４  力率改善回路
５  ＤＣ／ＤＣコンバータ
４１  抵抗（突入電流制限用素子）
４３  電解コンデンサ（容量性素子）
５１  第１の負荷
５２  第２の負荷
＋ＢＣ，−ＢＣ  中間端子（第１の中間端子）
Ｒ  中間端子（第２の中間端子）
＋Ｖｏ，−Ｖｏ  出力端子
【図１】
2008109783.tif 000003
【図２】
2008109783.tif 000004
【図３】
2008109783.tif 000005